(57)【要約】【課題】画像表示品質を高めるとともに、フレキシブルチューブの柔軟性を損なうことなく、使い勝手の良いものとする。【解決手段】頭部装着型表示装置は、使用者の頭部に装着されるホルダと、該ホルダにより支持され、表示素子２３を有する表示ユニット２１と、を備え、ホルダが、表示ユニット２１の表示素子２３を駆動するための駆動信号を生成する駆動回路１２ｂを少なくとも含む電子基板１２を備えた第１の筺体１０と、表示ユニット２１を固定した第２の筺体２０と、駆動回路１２ｂと表示素子２３とを電気的に接続する配線３２を有するとともに、第１の筺体１０と第２の筺体２０とを接続する柔軟性を有するフレキシブル支持部３０と、を備える。【選択図】図２
2013239813.tif 000002
【特許請求の範囲】
【請求項１】
使用者の頭部に装着されるホルダと、
該ホルダにより支持され、表示素子を有する表示ユニットと、を備え、
前記ホルダが、前記表示ユニットの表示素子を駆動するための駆動信号を生成する駆動回路を少なくとも含む電子基板を備えた第１の筺体と、前記表示ユニットを固定した第２の筺体と、前記駆動回路と前記表示素子とを電気的に接続する配線を有するとともに、前記第１の筺体と前記第２の筺体とを接続する柔軟性を有するフレキシブル支持部と、を備える頭部装着型表示装置。
【請求項２】
前記ホルダが、前記第１の筺体にて前記使用者の頭部に支持される請求項１に記載の頭部装着型表示装置。
【請求項３】
前記第１の筺体に、前記駆動回路に電力を供給するバッテリが備えられ、
前記バッテリが、前記第１の筺体における前記使用者の頭部への支持位置を挟んで、前記第２の筺体とは反対側に配置されている請求項２に記載の頭部装着型表示装置。
【請求項４】
前記表示ユニットが、前記表示素子、前記表示素子で表示した映像に光を照らす照明光学系、前記照明光学系で照らされた映像を前記使用者の眼球に向けて射出する接眼光学系を有する請求項１から請求項３のいずれかに記載の頭部装着型表示装置。
【請求項５】
前記フレキシブル支持部が筒状とされ、
前記配線が前記フレキシブル支持部の内部に挿通されている請求項１から請求項４のいずれかに記載の頭部装着型表示装置。
【請求項６】
前記配線の前記第１の筺体側の端部に、前記駆動回路に接続されるコネクタを有し、
前記コネクタの、前記配線が連続する方向に直交する方向の寸法が、筒状の前記フレキシブル支持部の内径よりも小さく設定されている請求項５に記載の頭部装着型表示装置。
【請求項７】
筒状の前記フレキシブル支持部が金属製であり、内径が２．５ｍｍ以上、外径が５ｍｍ以下である請求項５または請求項６に記載の頭部装着型表示装置。
【請求項８】
前記配線が前記フレキシブル支持部の外周面に巻き付けられている請求項１から請求項４のいずれかに記載の頭部装着型表示装置。
【発明の詳細な説明】
【技術分野】
【０００１】
本発明は、頭部装着型表示装置に関するものである。
【背景技術】
【０００２】
従来、頭部装着型表示装置において、画像を形成する表示ユニットが、頭部に装着可能なホルダにチューブ状のフレキシブル部材を介して支持された技術が知られている（例えば、特許文献１参照。）。
この頭部装着型表示装置においては、外部のコンピュータ等の画像源から、ケーブルを介して送られる駆動信号によって表示ユニットで画像表示光を出射する。ケーブルは、頭部装着型表示装置側の端部において、ホルダおよびフレキシブル部材を介して表示ユニットに接続されている。
【先行技術文献】
【特許文献】
【０００３】
【特許文献１】特開２０００−２２４５１９号公報
【発明の概要】
【発明が解決しようとする課題】
【０００４】
しかしながら、外部のコンピュータ装置等の画像源（駆動回路）から、ケーブルを介して表示ユニットの表示素子に伝送される信号は微弱である。このため、信号にノイズが乗りやすく、表示ユニットにおける画像表示品質向上の妨げとなっている。
【０００５】
これを解決するには、駆動回路と表示素子とを近づければ良いため、例えば、駆動回路を表示ユニットに内蔵することが考えられる。しかしそれでは、表示ユニットの重量が増加してしまう。
表示ユニットの重量が増加すると、表示ユニットを支持するフレキシブル部材に負担がかかるため、フレキシブル部材を、より剛性の高いものにする必要が生じる。すると、フレキシブル部材の柔軟性が損なわれ、位置調整する際の使い勝手が悪くなってしまう。
【０００６】
本発明は、このような事情に鑑みてなされたものであって、画像表示品質を高めるとともに、フレキシブル部材の柔軟性を損なうことなく、位置調整時の使い勝手を良いものとすることのできる頭部装着型表示装置を提供することを目的とする。
【課題を解決するための手段】
【０００７】
上記課題を解決するために、本発明の頭部装着型表示装置は以下の手段を採用する。
本発明の一態様は、使用者の頭部に装着されるホルダと、該ホルダにより支持され、表示素子を有する表示ユニットと、を備え、前記ホルダが、前記表示ユニットの表示素子を駆動するための駆動信号を生成する駆動回路を少なくとも含む電子基板を備えた第１の筺体と、前記表示ユニットを固定した第２の筺体と、前記駆動回路と前記表示素子とを電気的に接続する配線を有するとともに、前記第１の筺体と前記第２の筺体とを接続する柔軟性を有するフレキシブル支持部と、を備える。
【０００８】
このような頭部装着型表示装置は、少なくとも駆動回路を含む電子基板が第１の筺体に設けられることで、表示ユニットを有する第２の筺体の軽量化を図ることができる。
しかも、第１の筺体の駆動回路と第２の筺体の表示素子とがフレキシブル支持部の配線によって電気的に接続されているため、外部から駆動信号を送り込む場合に比較して配線が短くて済み、駆動信号にノイズが乗るのを抑えることができる。
【０００９】
上記態様においては、前記ホルダが、前記第１の筺体にて前記使用者の頭部に支持されるのが好ましい。なお、第１の筺体にてホルダを使用者の頭部に支持するには、ホルダを使用者の耳等に直接係止しても良いし、第１の筺体に設けた頭部支持部材によりホルダを使用者の頭部に係止しても良い。
【００１０】
上記態様においては、前記第１の筺体に、前記駆動回路に電力を供給するバッテリが備えられ、前記バッテリは、前記第１の筺体における前記使用者の頭部への支持位置を挟んで、前記第２の筺体とは反対側に配置されていても良い。
これにより、ホルダを使用者の頭部に装着したときのバランスが良くなる。
【００１１】
上記態様においては、前記表示ユニットが、前記表示素子、前記表示素子で表示した映像に光を照らす照明光学系、前記照明光学系で照らされた映像を前記使用者の眼球に向けて射出する接眼光学系を有するものであっても良い。
また、上記態様においては、第１の筺体に駆動回路が設けられ、第２の筺体に表示素子が備えられるのであれば、例えば、接眼光学系、照明光学系を備えない他の表示ユニットにも適用可能である。
【００１２】
上記態様においては、前記フレキシブル支持部が筒状とされ、前記配線が前記フレキシブル支持部の内部に挿通されていても良い。
この態様においては、前記配線の前記第１の筺体側の端部に、前記駆動回路に接続されるコネクタを有し、前記コネクタは、前記配線が連続する方向に直交する方向の寸法が、筒状の前記フレキシブル支持部の内径よりも小さく設定されている構成としても良い。
また、上記態様においては、筒状の前記フレキシブル支持部が金属製であり、内径が２．５ｍｍ以上、外径が５ｍｍ以下である構成とすることができる。
【００１３】
上記態様においては、前記配線が前記フレキシブル支持部の外周面に巻き付けられているものとすることができる。
【発明の効果】
【００１４】
本発明によれば、表示ユニットを有する第２の筺体の軽量化を図ることができ、フレキシブル部材の柔軟性を損なうことがなく、位置調整の際の使い勝手に優れたものとすることができるという効果を奏する。
また、駆動回路で生成されて表示素子に伝送される駆動信号にノイズが乗るのを抑えることができ、画像表示品質を高めることができるという効果を奏する。
【図面の簡単な説明】
【００１５】
【図１】（ａ）は本発明の第１実施形態にかかる頭部装着型表示装置の外観を示す平面図であり、（ｂ）は本発明の第１実施形態にかかる頭部装着型表示装置の外観を示す側面図である。
【図２】本発明の第１実施形態にかかる頭部装着型表示装置の部品レイアウト構成を示すブロック図である。
【図３】（ａ）は本発明の第１実施形態にかかる頭部装着型表示装置の内部構成を示す平面図であり、（ｂ）は本発明の第１実施形態にかかる頭部装着型表示装置の内部構成を示す側面図である。
【図４】本発明の第１実施形態にかかる頭部装着型表示装置のフレキシブル支持部の変形例を示す図である。
【図５】本発明の第２実施形態にかかるフレキシブル支持部の構成を示す図である。
【図６】本発明の第２実施形態にかかるフレキシブル支持部の変形例の構成を示す図である。
【図７】（ａ）は本発明の第３実施形態にかかるフレキシブル支持部の構成を示す外観図であり、（ｂ）は本発明の第３実施形態にかかるフレキシブル支持部の構成を示す断面図である。
【図８】本発明の第３実施形態にかかるフレキシブル支持部の変形例の構成を示す図である。
【図９】（ａ）は本発明の第４実施形態にかかるフレキシブル支持部の構成を示す図であり、（ｂ）は（ａ）の一部を拡大した図である。
【図１０】本発明の第４実施形態にかかるフレキシブル支持部の変形例の構成を示す図である。
【図１１】（ａ）は本発明の第４実施形態で用いた芯線の変形例を示す側面図であり、（ｂ）は（ａ）の芯線の断面図である。
【発明を実施するための形態】
【００１６】
以下に、本発明の実施形態に係る頭部装着型表示装置について、図面を参照して説明する。
〔第１実施形態〕
以下、本発明の第１実施形態に係る頭部装着型表示装置について、図１（ａ），（ｂ）および図２を用いて説明する。
図１（ａ）および図１（ｂ）は、頭部装着型表示装置１の外観を示す平面図および側面図であり、図２は、頭部装着型表示装置１の部品レイアウト構成を示すブロック図である。
図１（ａ），（ｂ）および図２に示すように、頭部装着型表示装置１は、表示ユニット２１と、表示ユニット２１を支持し、使用者の頭部に装着されるホルダ５と、を有する。
【００１７】
ホルダ５は、使用者の頭部（例えば耳）に係止するための頭部支持部材１１を有する第１の筺体１０と、表示ユニット２１が固定された第２の筺体２０と、第１の筺体１０と第２の筺体２０とを接続するフレキシブル支持部３０と、を有している。
【００１８】
第１の筺体１０は、フレキシブル支持部３０側の端部から反対側の端部に向けてその断面積が漸次増大するテーパ部１０ａと、テーパ部１０ａに連続し、ほぼ一定の断面積を有する筒状部１０ｂと、を有している。筒状部１０ｂは、テーパ部１０ａの中心軸に対し、使用者がこの頭部装着型表示装置１を装着した状態で使用者の頭部に近い側に屈曲して形成されている。なお、この第１の筺体１０の形状についてはこれに限るものではない。
【００１９】
図２、図３（ａ），（ｂ）に示すように、第１の筺体１０の内部には、外部からブルートゥース、Ｗｉ−Ｆｉ等の無線通信を介して送信される信号を受信する無線通信回路１２ａ、表示ユニット２１を駆動する信号を生成・出力する駆動回路１２ｂおよび制御回路１２ｃ等を含む電子基板１２と、電子基板１２に電力を供給するバッテリ１３と、が収容されている。
本実施形態では、電子基板１２がテーパ部１０ａに内蔵され、バッテリ１３が筒状部１０ｂに収容されている。
【００２０】
図１（ａ），（ｂ）に示したように、頭部支持部材１１は、第１の筺体１０のテーパ部１０ａの外周面に、使用者の頭部、例えば使用者の耳に係止可能なフック１１ａおよびパッド１１ｂを備えている。なお、頭部支持部材１１の形状や構成については、何ら限るものではない。
【００２１】
第２の筺体２０は、フレキシブル支持部３０側の端部からその断面積が漸次増大し、その反対側の端部に、表示ユニット２１を構成する接眼光学系２２が設けられている。
図２に示すように、第２の筺体２０は、表示ユニット２１を構成するＬＣＤ等の表示素子２３、照明系２４を内蔵している。
【００２２】
表示ユニット２１においては、表示素子２３は、駆動回路１２ｂから伝送される駆動信号によって駆動され、その駆動信号に応じた映像を表示する。照明系２４は、表示素子２３に光を照らし、表示素子２３に表示された映像を接眼光学系２２に導く。そして、接眼光学系２２では、導かれた映像を、使用者の瞳に導光する。
【００２３】
図１（ａ），（ｂ）および図３（ａ），（ｂ）に示すように、フレキシブル支持部３０は、第１の筺体１０側から第２の筺体２０側に向けて、ほぼ一定の外径を有する棒状をなし、柔軟性を有している。これにより、使用者がフレキシブル支持部３０を曲げることによって、第１の筺体１０に対する第２の筺体２０の位置や向きを適宜調整できるようになっている。具体的には、接眼光学系２２の光軸の使用者の瞳への位置合わせ、使用者の瞳に対する接眼光学系２２の光軸角度を変えることによる、使用者の視界における表示画面位置の変更、不使用時に使用者の視界の邪魔にならない位置への接眼光学系２２の退避、等のために、第２の筺体２０の位置や向きを調整する。
なお、このフレキシブル支持部３０は、第１の筐体１０側の端部において、第１の筐体１０に対して着脱可能とされている。
【００２４】
図３（ａ），（ｂ）に示すように、このフレキシブル支持部３０は、例えば、中空のフレキシブルチューブ３１と、フレキシブルチューブ３１内に挿通され、第１の筺体１０内の電子基板１２と第２の筺体２０内の表示素子２３（図示無し）とを電気的に接続する配線３２と、これらフレキシブルチューブ３１を覆う、樹脂系材料やゴム系材料等からなるスリーブ３４と、を有している。
【００２５】
フレキシブルチューブ３１は、金属製の線材を螺旋状に巻いてなるコイルスプリング状で、使用者が手で自在に曲げることのできる柔軟性と、手を離せば、そのままの形状を維持できる形状維持性と、を有している。このフレキシブルチューブ３１は、インサート成型によりスリーブ３４に覆われている。
【００２６】
また、フレキシブルチューブ３１は、図４に示すように、金属製の断面円形の線材３１ａを螺旋状に巻いたコイルスプリング状にするとともに、フレキシブルチューブ３１の外周面側において互いに隣接する線材３１ａ，３１ａの間に、金属製の断面三角形（くさび状）の線材３１ｂを巻き付けた構成とすることもできる。
このフレキシブルチューブ３１は、その内径を２．５ｍｍ以上、外径を４．５ｍｍ以下とするのが好ましい。
【００２７】
図３（ａ），（ｂ）に示すように、配線３２は、例えば、フレキシブルプリント配線３３を螺旋状に巻いたものを用いることができる。この場合、配線３２を構成するフレキシブルプリント配線３３は、第２の筺体２０側の端部が、表示素子２３に圧着等によって接続され、反対側の第１の筺体１０側の端部には、コネクタ３３Ｃが実装されている。このコネクタ３３Ｃが電子基板１２上に実装された受け側コネクタに嵌合されることにより、フレキシブルプリント配線３３が電子基板１２に電気的に接続されている。
【００２８】
ここで、組立時においては、一端が表示ユニット２１の表示素子２３に接続されたフレキシブルプリント配線３３を、フレキシブルチューブ３１の一端側から通してコネクタ３３Ｃを他端側に突出させ、このコネクタ３３Ｃを電子基板１２上の受け側コネクタに嵌合させる。このため、コネクタ３３Ｃは、フレキシブルプリント配線３３の長手方向に直交する方向の幅寸法を、フレキシブルチューブ３１の内径よりも小さくするのが好ましい。
【００２９】
このような頭部装着型表示装置１においては、外部の、例えばパーソナルコンピュータ装置、テレビジョン、ＨＤＤ（Ｈａｒｄ  Ｄｉｓｋ  Ｄｒｉｖｅ）やＤＶＤ（Ｄｉｇｉｔａｌ  Ｖｅｒｓａｔｉｌｅ  Ｄｉｓｃ）等を用いた映像再生装置等から、無線を介して送信される映像（画像を含む）信号を、第１の筺体１０内に設けられた電子基板１２の無線通信回路１２ａで受信する。
【００３０】
無線通信回路１２ａで受信した映像信号は、駆動回路１２ｂにおいて、表示ユニット２１の表示素子２３を駆動するための駆動信号に変換される。このようにして駆動回路１２ｂで生成された駆動信号は、フレキシブルプリント配線３３を介して第２の筺体２０の表示ユニット２１に伝送される。
【００３１】
表示ユニット２１においては、伝送された駆動信号により表示素子２３が駆動され、表示素子２３は、駆動信号に応じた映像を表示する。表示素子２３に表示された映像は、照明系２４で発する光により、接眼光学系２２に導かれ、接眼光学系２２では、導かれた映像を、使用者の瞳に導光する。
【００３２】
上述したような頭部装着型表示装置１によれば、第１の筺体１０に対し、表示ユニット２１を備えた第２の筺体２０が、柔軟性を有するフレキシブル支持部３０を介して接続され、第１の筺体１０には、表示ユニット２１の表示素子２３を駆動するための駆動信号を生成する駆動回路１２ｂおよび制御回路１２ｃが内蔵されている。
【００３３】
このように、第１の筺体１０に駆動回路１２ｂ、制御回路１２ｃを内蔵することにより、第２の筺体２０の重量を抑えることができる。これによって、フレキシブル支持部３０のフレキシブルチューブ３１で支持する重量が小さくて済むので、フレキシブルチューブ３１の柔軟性を高めることができる。その結果、使用者は、第２の筺体２０の位置や姿勢を軽い力で調整することができ、頭部装着型表示装置１の使い勝手を高めることができる。
【００３４】
さらに、頭部支持部材１１が第１の筺体１０のテーパ部１０ａに設けられ、重量の大きなバッテリ１３は、第２の筺体２０とは頭部支持部材１１を挟んで反対側に位置する第１の筺体１０の筒状部１０ｂに設けられている。これによって、表示ユニット２１とバッテリ１３との重量バランスを良好なものとすることができ、頭部装着型表示装置１を使用者が装着したときの使用感を優れたものとすることができる。
【００３５】
また、表示素子２３の駆動信号は、頭部装着型表示装置１の外部から伝送されるのではなく、第１の筺体１０内の駆動回路１２ｂで生成され、これがフレキシブルプリント配線３３を介して第２の筺体２０の表示ユニット２１に伝送されるので、伝送距離が非常に短くて済む。これにより、駆動信号にノイズが混入しにくくなり、駆動信号の品質低下を抑えることができ、表示ユニット２１において高品質な映像を表示できる。
【００３６】
さて、上記第１実施形態において、フレキシブル支持部３０の構成を例示したが、上記に例示したもの以外にも、以下に示す複数例のような構成とすることもできる。なお、以下の説明において、頭部装着型表示装置１の全体構成については、上記第１実施形態と同様であり、フレキシブル支持部３０の構成が異なるのみであるので、上記第１実施形態と共通する構成については同符号を付してその説明を省略する。
【００３７】
〔第２実施形態〕
図５に示すように、本実施形態におけるフレキシブル支持部３０は、複数のジョイントピース３５を連結し、これらジョイントピース３５に、フレキシブルプリント配線３３を螺旋状に巻き付けた構成とされている。
【００３８】
ここで、各ジョイントピース３５は、一端側から他端側に向けて螺旋状に湾曲しており、その一端に球状の凸部３５ａを有し、他端３５ｂに凸部３５ａが嵌め込まれる凹部（図示無し）を有している。フレキシブル支持部３０の長手方向において互いに前後する二つのジョイントピース３５どうしは、一方のジョイントピース３５の凸部３５ａを、他方のジョイントピース３５の他端３５ｂの凹部に嵌め込むことで、いわゆるボールジョイントを構成し、凸部３５ａを中心として自在に折曲可能に接続されている。
【００３９】
これらのジョイントピース３５を所定数接続すると、全体として螺旋状に連続し、使用者が手で自在に曲げることのできる柔軟性と、手を離せば、そのままの形状を維持できる形状維持性と、を有するものとなる。
【００４０】
なおここで、複数のジョイントピース３５，３５，…どうしの連結部は、第２の筺体２０側に行くにしたがい、小さなトルクで折曲できるよう、凸部３５ａと凹部との嵌め合いを漸次緩くしていくことも有効である。これにより、フレキシブル支持部３０を曲げたときに、第２の筐体２０側でフレキシブル支持部３０がより大きく変形しやすくなる。
【００４１】
フレキシブルプリント配線３３は、螺旋状に連続するジョイントピース３５，３５，…と拠り合わせるようにして、螺旋状に巻き付けられている。
【００４２】
このようなジョイントピース３５，３５，…およびフレキシブルプリント配線３３は、インサート成形によりスリーブ３４（図１（ａ），（ｂ）参照）によって覆われて、フレキシブル支持部３０を構成している。
【００４３】
このような構成のフレキシブル支持部３０によれば、同形状のジョイントピース３５を多数個用いるため、製造コストの低コスト化を図ることができる。
【００４４】
なお、上記実施形態において、ジョイントピース３５の形状は、上記した以外とすることができる。例えば、図６に示すジョイントピース３６は、円柱状の本体３６ｃの一端に球状の凸部３６ａを有し、他端に凸部３６ａが嵌め込まれる凹部３６ｂを有している。本体３６ｃの外周面には、螺旋状の溝３７が形成され、フレキシブルプリント配線３３は、螺旋状の溝３７内に収められて、螺旋状に巻き付けられている。
【００４５】
〔第３実施形態〕
図７（ａ），（ｂ）に示すように、本実施形態におけるフレキシブル支持部３０は、複数のジョイントピース３８を連結し、これらジョイントピース３８の内部に、フレキシブルプリント配線３３を挿通させた構成とされている。
【００４６】
各ジョイントピース３８は、円筒状の本体３８ａと、本体３８ａの一端に形成された球状の凸部３８ｂと、本体３８ａの他端に形成された凹部３８ｃとを有し、さらに、本体３８ａと凸部３８ｂとを貫通する孔３８ｄが形成されている。
【００４７】
フレキシブル支持部３０の長手方向において互いに前後する二つのジョイントピース３８どうしは、一方のジョイントピース３８の凸部３８ｂを、他方のジョイントピース３８の凹部３８ｃに嵌め込むことで、いわゆるボールジョイントを構成し、凸部３８ｂを中心として自在に折曲可能に接続されている。
【００４８】
これらのジョイントピース３８を所定数接続すると、使用者が手で自在に曲げることのできる柔軟性と、手を離せば、そのままの形状を維持できる形状維持性と、を有するものとなる。
【００４９】
フレキシブルプリント配線３３は、これらジョイントピース３８の孔３８ｄに挿通されている。
【００５０】
このようなジョイントピース３８，３８，…は、インサート成形によりスリーブ３４（図１（ａ），（ｂ）参照）によって覆われて、フレキシブル支持部３０を構成している。
【００５１】
このような構成のフレキシブル支持部３０によっても、同形状のジョイントピース３８を多数個用いるため、製造コストの低コスト化を図ることができる。また、フレキシブルプリント配線３３がジョイントピース３８内に挿通されるため、フレキシブルプリント配線３３の断線等を防止することができる。
【００５２】
なお、上記第３実施形態において、ジョイントピース３８に代えて、図８に示すようなジョイントピース３９を用いることもできる。
このジョイントピース３９は、筒状の本体３９ａの一端に、本体３９ａの中心を挟んで位置する二個一対の凸部３９ｂ，３９ｂと、本体３９ａの他端に本体３９ａの中心を挟んで位置する二個一対の凹部３９ｃ，３９ｃと、が形成されている。
【００５３】
凸部３９ｂは、筒状の本体３９ａの外周面から本体３９ａの軸線方向に沿って突出するよう形成され、凹部３９ｃは、本体３９ａ自体に形成されている。また、各ジョイントピース３９において、凸部３９ｂ，３９ｂと凹部３９ｃ，３９ｃは、本体３９ａの中心周りに９０°位相が異なるよう形成されている。
【００５４】
フレキシブル支持部３０の長手方向において互いに前後する二つのジョイントピース３９，３９どうしは、一方のジョイントピース３９の凸部３９ｂ，３９ｂを、他方のジョイントピース３９の凹部３９ｃ，３９ｃに嵌め込む。すると、一方のジョイントピース３９の凸部３９ｂ，３９ｂどうしを結ぶ方向を軸として、一方のジョイントピース３９と他方のジョイントピース３９とが回動自在に連結される。そして、各ジョイントピース３８において、一端の凸部３９ｂ，３９ｂと他端の凹部３９ｃ，３９ｃとが本体３９ａの中心線周りに９０°位相が異なるので、ジョイントピース３８の一端側と他端側とで、互いに９０°直交する軸周りに他のジョイントピース３８と回動自在に連結される。
【００５５】
〔第４実施形態〕
図９（ａ），（ｂ）に示すように、本実施形態におけるフレキシブル支持部３０は、樹脂やゴム系材料からなる柔軟性を有する筒状のスリーブ４０と、スリーブ４０内に挿通されたフレキシブルプリント配線３３（図示無し）と、スリーブ４０内に挿通された芯線４１と、を有する構成とすることもできる。
【００５６】
芯線４１は、金属製の線材等からなり、柔軟性を有するスリーブ４０内に挿通されることで、フレキシブル支持部３０の変形と、変形した形状での維持を可能とする。このような芯線４１は、その直径を、０．５〜１．２ｍｍ程度とするのが好ましい。
【００５７】
この場合芯線４１は、第１の筺体１０に開口部１８を形成し、この開口部１８からスリーブ４０内に挿入するとともに、芯線４１の端部に設けられた固定部４２を開口部１８に嵌め合わせることで、芯線４１を交換可能とすることもできる。これにより、芯線４１が劣化した場合には、適宜交換することが可能となる。
【００５８】
なお、上記実施形態において、芯線４１をスリーブ４０内に挿通させるのではなく、図１０に示すように、スリーブ４０の外周面に沿って芯線４３を螺旋状に巻きつける構成とすることもできる。
【００５９】
この場合、第１の筺体１０と第２の筺体２０に、それぞれ、芯線４３の両端部を固定するための開口部１８、２９を形成するのが好ましい。
この構成においては、芯線４３がスリーブ４０の外周面側に露出して設けられているので、交換作業を容易に行うことができる。
【００６０】
上記したような芯線４１、４３は、図１１（ａ），（ｂ）に示すように、金属材料からなる芯線４１、４３を、樹脂素材からなるコート層４４で被覆するようにしても良い。
【００６１】
また、フレキシブルチューブ３１やスリーブ４０の外周面にフレキシブルプリント配線３３や芯線４３を巻きつける場合、フレキシブルチューブ３１、スリーブ４０とフレキシブルプリント配線３３、芯線４３を、樹脂の皮膜で覆うようにしても良い。
この場合、フレキシブルチューブ３１、スリーブ４０の外周面に、フレキシブルプリント配線３３、芯線４３をインサート成型により皮膜で覆うようにしても良い。
【００６２】
なお、上記各実施形態で示した構成以外にも、本発明の主旨を逸脱しない範囲内であれば、適宜の変更、構成の追加・削除を行うことができる。
また、上記各実施形態で示した構成を適宜組み合わせることも可能である。
【符号の説明】
【００６３】
１      頭部装着型表示装置
５      ホルダ
１０    第１の筺体
１０ａ  テーパ部
１０ｂ  筒状部
１１    頭部支持部材
１２    電子基板
１２ａ  無線通信回路
１２ｂ  駆動回路
１２ｃ  制御回路
１３    バッテリ
２０    第２の筺体
２１    表示ユニット
２２    接眼光学系
２３    表示素子
２４    照明系
３０    フレキシブル支持部
３１    フレキシブルチューブ
３１ａ  線材
３１ｂ  線材
３２    配線
３３    フレキシブルプリント配線
３３Ｃ  コネクタ
３４    スリーブ
３５、３６、３８、３９    ジョイントピース
３７    溝
４０    スリーブ
４１、４３    芯線
４２    固定部
４４    コート層
【図１】
2013239813.tif 000003
【図２】
2013239813.tif 000004
【図３】
2013239813.tif 000005
【図４】
2013239813.tif 000006
【図５】
2013239813.tif 000007
【図６】
2013239813.tif 000008
【図７】
2013239813.tif 000009
【図８】
2013239813.tif 000010
【図９】
2013239813.tif 000011
【図１０】
2013239813.tif 000012
【図１１】
2013239813.tif 000013